(57)【要約】【課題】写り具合のよい写真の選択を、迅速に、しかも簡単かつ容易に行なうことができる。【解決手段】この預かりサービスシステム１０は、所有物を預かる預かりサービスシステムであり、預かった所有物を撮影する撮影装置１８を備え、預け主に預かり所有物の画像を提供する。【選択図】図１
2005095006.tif 000002
【特許請求の範囲】
【請求項１】
所有物を預かる預かりサービスシステムであり、
前記預かった所有物を撮影する撮影装置を備え、
預け主に預かり所有物の画像を提供することを特徴とする預かりサービスシステム。
【請求項２】
前記所有物は、生物であり、
前記生物の生命維持のための所定の世話を行うことを特徴とする請求項１に記載の預かりサービスシステム。
【請求項３】
前記所有物は、生物であり、
前記生物の生命維持以外の所定の世話を行うことを特徴とする請求項１に記載の預かりサービスシステム。
【請求項４】
前記所有物を預かった時に、預かった所有物の画像を受信する権利を前記預け主に付与することを特徴とする請求項１乃至請求項３のいずれか１項に記載の預かりサービスシステム。
【請求項５】
前記預かった所有物の画像を受信する権利は、無償通信費用枠の設定であることを特徴とする請求項４に記載の預かりサービスシステム。
【請求項６】
前記預かった所有物の画像を受信する権利は、排他的に預かった所有物の画像を受信できる権利であることを特徴とする請求項４に記載の預かりサービスシステム。
【請求項７】
前記所有物を預かった時に、預かった所有物の画像を受信及び表示可能な装置を貸し出すことを特徴とする請求項１乃至請求項６のいずれか１項に記載の預かりサービスシステム。
【請求項８】
前記預かった時に貸し出す装置は、撮影が可能であることを特徴とする請求項７に記載の預かりサービスシステム。
【請求項９】
前記預かった時に貸し出す装置は、撮影した画像を受け取り預かった所有物に向け表示することを特徴とする請求項８に記載の預かりサービスシステム。
【請求項１０】
前記預かった時に貸し出す装置は、預かった所有物の画像と預け主の画像を合成した撮影画像を作成することを特徴とする請求項８に記載の預かりサービスシステム。
【請求項１１】
前記預かった所有物の画像と預け主の画像を合成した撮影画像を、預け主に送信することを特徴とする請求項１０に記載の預かりサービスシステム。
【請求項１２】
前記撮影画像を送信する締め切り時刻を預け主に提示する手段を有することを特徴とする請求項１１に記載の預かりサービスシステム。
【請求項１３】
前記預かった所有物を返却する時に、注文プリントを預け主に提供することを特徴とする請求項１乃至請求項１１のいずれか１項に記載の預かりサービスシステム。
【請求項１４】
前記注文プリントを提供するプリント注文締め切り時刻を預け主に提示する手段を有することを特徴とする請求項１３に記載の預かりサービスシステム。
【発明の詳細な説明】
【技術分野】
【０００１】
この発明は、例えばペット等の所有物を預かる預かりサービスシステムに関する。
【背景技術】
【０００２】
従来より、例えば、飼い主が旅行先や外出先から留守中のペットの様子を確認できるようにした従来技術として、特開平８−８９１１９号公報、特開２００３−９６９７号公報に記載されているように、ペット用の自動給餌装置の近傍に設置したカメラで撮影中の画像情報などを端末機に送信し、この端末機に接続されたテレビ受像機などにより画像情報を旅行先や外出先で見ることができ、さらに特開平８−８９１１９号公報では、ペット用の水や餌が不十分な場合には自動給餌装置を遠隔操作により起動できるようにするというものがある。
【０００３】
また、ペットに発生した変化や異常を遠隔地にいる飼い主が確認できるものとして、特開２００１−２７５５０９号公報には、飼い主のペットが収容されている収容施設のケージの振動やペットの鳴き声に基づいて、ケージ内のペットに変化が起こったか否かの自動判定を行い、ケージが大きく振動した場合やペットがさかんに鳴いた場合などは有意な変化が起こったものと判定して、ペットの様子を撮影した画像情報をサーバ機に送信して格納させ、遠隔地にいる飼い主は、サーバ機に格納されている画像情報をインターネットを介して見ることにより、ペットに発生した変化や異常を確認することができる等がある。
【特許文献１】特開平８−８９１１９号公報
【特許文献２】特開２００３−９６９７号公報に
【特許文献３】特開２００１−２７５５０９号公報
【発明の開示】
【発明が解決しようとする課題】
【０００４】
このように、ペットを遠隔で監視したり、あるいは遠隔で世話をするものは公知公用であるが、飼い主が例えばペットを預ける時に、交換で監視する権利や装置を飼い主に渡すという預かりサービスを行なうようにすると、従来にない全く新しい預かりサービスのビジネスモデルを提案することができる。
【０００５】
この発明は、このような従来技術の実情に鑑みてなされたもので、例えばペット等の所有物を預かる新しいビジネスモデルを可能にする預かりサービスシステムを提供することを目的としている。
【課題を解決するための手段】
【０００６】
前記課題を解決し、かつ目的を達成するために、この発明は、以下のように構成した。
【０００７】
請求項１に記載の発明は、所有物を預かる預かりサービスシステムであり、
前記預かった所有物を撮影する撮影装置を備え、
預け主に預かり所有物の画像を提供することを特徴とする預かりサービスシステムである。
【０００８】
請求項２に記載の発明は、前記所有物は、生物であり、
前記生物の生命維持のための所定の世話を行うことを特徴とする請求項１に記載の預かりサービスシステムである。
【０００９】
請求項３に記載の発明は、前記所有物は、生物であり、
前記生物の生命維持以外の所定の世話を行うことを特徴とする請求項１に記載の預かりサービスシステムである。
【００１０】
請求項４に記載の発明は、前記所有物を預かった時に、預かった所有物の画像を受信する権利を前記預け主に付与することを特徴とする請求項１乃至請求項３のいずれか１項に記載の預かりサービスシステムである。
【００１１】
請求項５に記載の発明は、前記預かった所有物の画像を受信する権利は、無償通信費用枠の設定であることを特徴とする請求項４に記載の預かりサービスシステムである。
【００１２】
請求項６に記載の発明は、前記預かった所有物の画像を受信する権利は、排他的に預かった所有物の画像を受信できる権利であることを特徴とする請求項４に記載の預かりサービスシステムである。
【００１３】
請求項７に記載の発明は、前記所有物を預かった時に、預かった所有物の画像を受信及び表示可能な装置を貸し出すことを特徴とする請求項１乃至請求項６のいずれか１項に記載の預かりサービスシステムである。
【００１４】
請求項８に記載の発明は、前記預かった時に貸し出す装置は、撮影が可能であることを特徴とする請求項７に記載の預かりサービスシステムである。
【００１５】
請求項９に記載の発明は、前記預かった時に貸し出す装置は、撮影した画像を受け取り預かった所有物に向け表示することを特徴とする請求項８に記載の預かりサービスシステムである。
【００１６】
請求項１０に記載の発明は、前記預かった時に貸し出す装置は、預かった所有物の画像と預け主の画像を合成した撮影画像を作成することを特徴とする請求項８に記載の預かりサービスシステムである。
【００１７】
請求項１１に記載の発明は、前記預かった所有物の画像と預け主の画像を合成した撮影画像を、預け主に送信することを特徴とする請求項１０に記載の預かりサービスシステムである。
【００１８】
請求項１２に記載の発明は、前記撮影画像を送信する締め切り時刻を預け主に提示する手段を有することを特徴とする請求項１１に記載の預かりサービスシステムである。
【００１９】
請求項１３に記載の発明は、前記預かった所有物を返却する時に、注文プリントを預け主に提供することを特徴とする請求項１乃至請求項１１のいずれか１項に記載の預かりサービスシステムである。
【００２０】
請求項１４に記載の発明は、前記注文プリントを提供するプリント注文締め切り時刻を預け主に提示する手段を有することを特徴とする請求項１３に記載の預かりサービスシステムである。
【発明の効果】
【００２１】
前記構成により、この発明は、以下のような効果を有する。
【００２２】
請求項１に記載の発明では、預かった所有物を撮影する撮影装置を備え、預け主に預かり所有物の画像を提供することで、預け主は例えば犬や猫等のペット、子供、あるいはバイオリン等の楽器、骨董品等の高価な物等を置いて安心して旅行等ができる。
【００２３】
請求項２に記載の発明では、例えばペットを預かった場合には食べ物を与え、子供を預かった場合には食事等を与え、生命維持のための所定の世話を行うから、預け主は安心して旅行等ができる。
【００２４】
請求項３に記載の発明は、例えばペットを預かった場合にはトリミング、グルーミング等、子供を預かった場合には勉強を教える等の生命維持以外の所定の世話を行うから、預け主は安心して旅行等ができる。
【００２５】
請求項４に記載の発明では、所有物を預かった時に、預かった所有物の画像を受信する権利を預け主に付与することで、預け主は安心して旅行等ができる。
【００２６】
請求項５に記載の発明では、無償通信費用枠の設定をすることで、預け主は通信費を気にすることなく、所有物の画像を受信することができる。
【００２７】
請求項６に記載の発明では、排他的に預かった所有物の画像を受信でき、預け主は、パスワード等の認証技術によって所有物の画像を受信することができる。  請求項７に記載の発明では、預かった所有物の画像を受信及び表示可能な装置を貸し出すことで、預け主は普段、高価・高機能・撮影機能付の通信機器を所有しなくて良い。
【００２８】
請求項８に記載の発明では、貸し出す装置が撮影が可能であり、預け主は場所が離れていてもペットや子供等と一緒に写真が撮れる。
【００２９】
請求項９に記載の発明では、貸し出す装置は、撮影した画像を受け取り預かった所有物に向け表示することで、預けた例えば犬や猫等のペット、子供を安心させることができる。
【００３０】
請求項１０に記載の発明では、貸し出す装置は、預かった所有物の画像と預け主の画像を合成した撮影画像を作成することで、装置又はシステムで合成した画像を配信することができる。
【００３１】
請求項１１に記載の発明では、預かった所有物の画像と預け主の画像を合成した撮影画像を、預け主に送信することで、貸し出した装置に限らず受信でき、画像の合成はシステムのホストコンピュータにて行うことができる。
【００３２】
請求項１２に記載の発明では、撮影画像を送信する締め切り時刻を預け主に提示することで、合成画像の作成やプリント注文を行なうことができる。
【００３３】
請求項１３に記載の発明では、預かった所有物を返却する時に、注文プリントを預け主に提供することで、高付加価値のサービスを提供することができる。
【００３４】
請求項１４に記載の発明では、注文プリントを提供するプリント注文締め切り時刻を預け主に提示することで、例えば貸し出した装置を返却する時に注文プリントを預け主に手渡すことができる。
【発明を実施するための最良の形態】
【００３５】
以下、この発明の預かりサービスシステムの実施の形態について説明するが、この発明は、この実施の形態に限定されない。また、この発明の実施の形態は、発明の最も好ましい形態を示すものであり、この発明の用語はこれに限定されない。
【００３６】
図１は預かりサービスシステムの概略図である。この実施の形態の預かりサービスシステム１０は、ペット預かり施設用端末１１、預け主用端末１２、画像を送受信及び表示可能な装置１３、預かりサービスサーバ１４及び預かりサービス管理端末１５がネットワーク１６に接続され、相互に通信可能である。
【００３７】
ペット預かり施設用端末１１は、ペット預かり施設１７に配置され、このペット預かり施設１７として、例えばペットショップ、ペットホテル、あるいはペット病院等がある。ペット預かり施設１７では、例えばペットに食べ物を与え、生命維持のための所定の世話を行う。ペット預かり施設１７は、預かった所有物のペットを撮影するカメラ、ディスプレイ等の撮影装置１８を備えている。
【００３８】
画像を送受信及び表示可能な装置１３には、例えば通信可能で、かつ画像表示部を有するカメラ１３ａ、画像表示部、カメラを有する携帯電話１３ｂなどが用いられる。
【００３９】
預かりサービスサーバ１４及び預かりサービス管理端末１５は、預かりサービス管理会社がサイトを運営管理し、預かりサービス事業を行なう。預かりサービス管理会社は、ペット預かり施設と契約し、ペット預かり施設にカメラ、ディスプレイ等の撮影装置１８の設置を行ない、ペットの撮影指導を行なう。
【００４０】
この実施の形態の預かりサービスシステム１０では、例えば旅行に出かける時には、ペットをペット預かり施設１７であるペットホテルに預けて旅行に出かける。ペット預かり施設１７では、撮影装置１８によって預かったペットを撮影し、カメラ１３ａ、携帯電話１３ｂに送信して預け主に預かりペットの画像を提供する。ペットの食事や排泄物等も預け主の要求があれば画像を提供し、健康管理ができることが望ましい。
【００４１】
この実施の形態では、ペットを預かった時に、預かったペットの画像を受信する権利を預け主に付与し、この受信する権利が預け主に付与されることで、預け主は安心して旅行等ができる。
【００４２】
この受信する権利として、無償通信費用枠の設定があり、預け主は通信費を気にすることなく、所有物の画像を受信することができる。また、受信する権利として、排他的に預かった所有物の画像を受信できる権利でもよく、この場合は預け主は、パスワードやバイオメトリクス（指紋や、虹彩等による本人認証技術）等の認証技術によってペットの画像を受信することができる。
【００４３】
このようにして、ペット預かり施設１７のカメラ、ディスプレイ等の撮影装置１８と預け主のカメラ１３ａ、携帯電話１３ｂは、通信可能であり、預け主はカメラ１３ａ、携帯電話１３ｂによって旅行先でペット預かり施設１７に預けたペットを見ることができる。
【００４４】
また、カメラ１３ａ、携帯電話１３ｂで撮影した旅行先の預け主の画像を、カメラ１３ａ、携帯電話１３ｂからペット預かり施設１７の撮影装置１８のディスプレイに送信して表示し、ペットに旅行中の飼い主である預け主の画像を見せることができる。
【００４５】
また、カメラ１３ａ、携帯電話１３ｂによって、ペット画像を旅行の写真に合成することができる。また、カメラ１３ａ、携帯電話１３ｂによって旅行の写真、あるいはペット画像を旅行の写真に合成した写真のプリント注文を預かりサービス管理会社のサイトに行ない、写真のプリントをペット預かり施設１７又は自宅に旅行アルバムとして届けるようにすることができる。
【００４６】
このようなサービスを行なう場合には、預かりサービス管理会社のサイトから撮影画像を送信する締め切り時刻を預け主に提示し、また注文プリントを提供するプリント注文締め切り時刻を預け主に提示し、この時刻までの注文を促すことで、高品位プリントを作成する時間が確保できる。また、高品位な製本や、装飾を付した製品を付けた製品を作成する時間が確保できる。これによって旅行から帰り、ペットと自宅に帰る時に注文プリントを預け主に手渡すことができ、高付加価値のサービスを提供することができる。
【００４７】
次に、図２はパソコンからの注文プリントを説明する図である。この実施の形態では、ユーザのパソコン等の端末の画面を示しているが、例えば旅行先等移動先での任意の端末で良い。パソコン等の端末にカメラ１３ａ、携帯電話１３ｂから撮影画像を取り込み、パソコン等の端末のペット預かりページ画面２０でＩＤ２０ａ、パスワード２０ｂを入力すと（図２（ａ））、ペット画面２１が開く（図２（ｂ））。
【００４８】
このように、ペットを預かった時に、預かったペットの画像を受信する権利を預け主に付与することで、預け主は安心して旅行等ができる。この画像を受信する権利は、ＩＤ２０ａ、パスワード２０ｂ等により排他的に預かったペットの画像を受信でき、預け主は、パスワードやバイオメトリクス等の認証技術によってペットの画像を受信することができる。
【００４９】
ペット画面２１には、ペット画像表示部２１ａ、ペット画像リフレッシュボタン２１ｂ、ペット画像選択ボタン２１ｃ、画像アップロードボタン２１ｄ及びプリント注文ボタン２１ｅが設けられている。ペット画像リフレッシュボタン２１ｂのクリックで、ペット画像表示部２１ａは最新の画像にリフレッシュされる。ペット画像選択ボタン２１ｃのクリックで撮影時間を規準に駒送りして表示される。画像アップロードボタン２１ｄのクリックで預かりサービス管理会社のサイトへ画像をアップロードする。
【００５０】
プリント注文ボタン２１ｅのクリックで、図２（ｃ）のプリント注文ページ画面２２が開く。プリント注文ページ画面２２には、選択された画像が表示される画像表示部２２ａ、注文仕様指示表示部２２ｂ、注文者情報入力部２２ｃが設けられている。この注文仕様指示表示部２２ｂで、画像選択、プリントの大きさ、枚数、例えば預け主とペットとの合成の指示等を行なう。
【００５１】
図３は預かりサービスシステムの他の実施の形態の概略図である。この実施の形態の預かりサービスシステム１０は、図１の実施の形態と同様に構成されるが、この実施の形態のペット預かり施設１７では、ペットを預かった時に、預かったペットの画像を受信及び表示可能な装置を貸し出す。この実施の形態では、貸し出した装置１３は、例えば通信可能で、かつ画像表示部を有するカメラ３０であるが、画像表示部、カメラを有する携帯電話などでもよい。
【００５２】
この実施の形態では、所有物を預かった時に、預かった所有物の画像を受信する権利を預け主に付与し、この受信する権利として、無償通信費用枠の設定があり、預け主は通信費を気にすることなく、所有物の画像を受信することができる。また、預かった期間内の、預け主宛の電話やＥメールをこの装置に転送するサービスを設定しても良い。
【００５３】
このように、ペット預かり施設１７では、ペットを預かりカメラ３０を貸す。このカメラ３０は通信機能付、通信料金込みであり、無償通信費用枠が設定されている。このカメラ３０では、ペット画像を旅行の写真に合成する。また、カメラ３０によって旅行の写真、あるいはペット画像を旅行の写真に合成した写真のプリント注文を預かりサービス管理会社のサイトに行ない、写真のプリントをペット預かり施設１７又は自宅に旅行アルバムとして届けるようにすることができる。預け主は、旅行から帰りカメラ３０をペット預かり施設１７へ返し、ペットと共に自宅に帰る。
【００５４】
このカメラ３０によって注文プリントを行なうことができる。図４はカメラからの注文プリントを説明する図である。この実施の形態のカメラ３０は、上側にレリーズボタン３０ａを有し、背面部にペット画像表示部３０ｂ、ペット画像リフレッシュボタン３０ｃ、ペット画像選択ボタン３０ｄ、画像アップロードボタン３０ｅ及びプリント注文ボタン３０ｆが設けられている。ペット画像リフレッシュボタン３０ｃを押すことで、ペット画像表示部３０ｂは最新の画像にリフレッシュされる。ペット画像選択ボタン３０ｄを押すことで撮影時間を基準に駒送りして表示される。画像アップロードボタン３０ｅを押すことで預かりサービス管理会社のサイトへ画像をアップロードする。プリント注文ボタン３０ｆを押すことで、図２（ｃ）と同様なプリント注文ページ画面が開き、画像選択、プリントの大きさ、枚数、例えば預け主とペットとの合成の指示等を行なう。
【００５５】
この実施の形態では、カメラ３０が預かったペットと対応付けられ、カメラ３０がペットと１対１対応なので、ＩＤ、パスワードは不要である。しかし、盗難時のプライバシー保護や通信機能の悪用を阻止するのためパスワードの設定或いはバイオメトリクスによる利用者制限等もできることが望ましい。
【００５６】
図５は預かりサービスシステムの他の実施の形態の概略図である。この実施の形態の預かりサービスシステム１０は、図３及び図４の実施の形態と同様に構成されるが、この実施の形態のペット預かり施設１７では、例えばペットを預かった場合には食べ物を与え、生命維持のための所定の世話を行うから、預け主は安心して旅行等ができる。さらに、ペットを預かった場合にはトリミング、グルーミング等生命維持以外の所定の世話８０を行うから、預け主は安心して旅行等ができる。この所定の世話８０を行う最中、撮影装置１８のディスプレイ等によって預け主を表示し、ペットは飼い主とコミニケーションすることができる。トリミングやグルーミングの指示や、仕上りの確認も通信機能を使って行うことができる。預け主は、旅行から帰りカメラ３０をペット預かり施設１７へ返し、ペットと共に自宅に帰る。
【００５７】
次に、図５の実施の形態の預かりサービスシステムのフローを図６に示す。この実施の形態の預かりサービスシステムでは、ペット預かり施設１７でペットを預かり、ペットの世話を開始する（ステップｓ１）。このペットを預かる時に、通信権利を付与したカメラ３０を貸し出す（ステップｓ２）。
【００５８】
ペットの画像をカメラ３０へ配信し、この配信は、例えば一定時間おき、或いはオンデマンドで配信する（ステップｓ３）。飼い主である預け主の画像を、撮影装置１８で受信してディスプレイ等によって預け主を表示してペットに見せる（ステップｓ４）。このペットに見せるステップは省略してもよい。
【００５９】
ペット受け取り日から逆算したプリント注文期限を計算する（ステップｓ５）。例えば、一日一回等一定時間おきにプリント注文期限を計算する。ステップｓ６において、プリント注文があったか否かの判断を行ない、プリント注文がない場合には、ステップｓ７において、プリント注文期限が経過したか否かの判断を行なう。
【００６０】
プリント注文期限が経過していない場合には、ステップｓ５へ移行し、プリント注文期限が経過した場合には、ステップｓ９へ移行する。
【００６１】
ステップｓ６において、預かりサービス管理会社のサイトにプリント注文があると、プリントを作成する（ステップｓ８）。そして、飼い主である預け主が旅行から帰るとペットを返し、ペットの世話が終了する（ステップｓ９）。
【００６２】
ペット預かり施設１７では、プリントがあれば飼い主である預け主にプリントを渡す（ステップｓ１０）。
【００６３】
預かりサービス管理会社のサイトでは、画像保存期間内に、プリント注文を催促し、プリント注文があれば作成、送付する（ステップｓ１１）。画像保存期間終了の一定時間前に、ａ．画像をメディアに書き出す、ｂ．画像の保存期間延長、ｃ．画像の他のサイトへの移動等の処理を飼い主に催促する（ステップｓ１２）。
【００６４】
ステップｓ１３において、画像保存期間終了時点でプリント注文の有無を判断し、プリント注文がないと画像を消去する（ステップｓ１４）。プリント注文の指示に従ったプリント処理を行う（ステップｓ１５）。
【００６５】
次に、図７乃至図１２に基づいてペット画像の合成について説明する。
【００６６】
図７はペット画像合成のフロー、図８はカメラの合成画面を示す図である。この実施の形態では、リアルタイムで画像合成される。まず、貸し出したカメラ３０で合成撮影を開始し（ステップａ１）、飼い主である預け主の撮影を行なう（ステップａ２）。飼い主の撮影画像をカメラ３０から撮影装置１８のディスプレイに送信して表示し、ペットに旅行中の飼い主である預け主の画像を見せる（ステップａ３）。撮影装置１８のカメラでペットの反応を撮影し（ステップａ４）、撮影装置１８からペットの反応の撮影画像を、飼い主である預け主のカメラ３０へ送信する（ステップａ５）。
【００６７】
貸し出したカメラ３０の内部で、図８に示すように、飼い主である預け主の画像３０ｇとペットの画像３０ｈとの画像合成を行ない（ステップａ６）、合成に必要な情報（画像情報、位置情報、テンプレート情報等）を預かりサービス管理会社がサイトのホストコンピュータに送信し（ステップａ７）、ホストコンピュータで再合成し、プリント作成を行なう（ステップａ８）。
【００６８】
図９はペット画像合成のフローである。この実施の形態も図７及び図８と同様に、リアルタイムで画像合成される。まず、貸し出したカメラ３０で合成撮影を開始し（ステップｂ１）、飼い主である預け主による撮影を行なう（ステップｂ２）。カメラ３０にストックしたペット画像の選択を飼い主が行う（ステップｂ３）。そして、テンプレートの選択を行ない（ステップｂ４）、飼い主である預け主の画像とペットの画像との画像合成を行なう（ステップｂ５）。
【００６９】
合成に必要な情報（画像情報、位置情報、テンプレート情報等）を預かりサービス管理会社がサイトのホストコンピュータに送信し（ステップｂ６）、ホストコンピュータで再合成し、プリント作成を行なう（ステップｂ７）。
【００７０】
図１０はペット画像合成のフローである。この実施の形態も図７及び図８と同様に、リアルタイムで画像合成される。まず、貸し出したカメラ３０で合成撮影を開始し（ステップｃ１）、カメラ３０にストックしたペット画像の選択を飼い主が行う（ステップｃ２）。そして、テンプレートの選択を行ない（ステップｃ３）、飼い主である預け主による撮影を行なう（ステップｃ４）。飼い主である預け主の画像とペットの画像との画像合成を行なう（ステップｃ５）。
【００７１】
合成に必要な情報（画像情報、位置情報、テンプレート情報等）を預かりサービス管理会社がサイトのホストコンピュータに送信し（ステップｃ６）、ホストコンピュータで再合成し、プリント作成を行なう（ステップｃ７）。
【００７２】
図１１はペット画像合成のフロー、図１２はポストカードを示す図である。この実施の形態では、預かりサービス管理会社のサイトのホストコンピュータにて画像選択で画像合成される。まず、貸し出したカメラ３０で合成撮影を開始し（ステップｄ１）、飼い主である預け主の撮影を行なう（ステップｄ２）。飼い主の撮影画像をカメラ３０から預かりサービス管理会社のサイトのホストコンピュータに送信し（ステップｄ３）、ホストコンピュータにてデザイン作成を行なう（ステップｄ４）。
【００７３】
このデザイン作成は、テンプレート選択、飼い主画像、ペット画像の選択等の裁量をホストコンピュータから指示されたデザイナーが行い、図１２に示すような高品位な合成を行う。この図１２のポストカード５０は、人物、風景等の画像５０ａとペット画像５０ｂとを組み合わせた高品位のデザインである。
【００７４】
このように、アルバム、ポストカード等種々のプリント形式に対応する。デザインをカメラ３０に送信する（ステップｄ５）。プリント可否、枚数、プリントサイズ等の指示してプリントを受注し（ステップｄ６）、ホストコンピュータで指示に従ったプリント作成する（ステップｄ７）。
【００７５】
このように、預かりサービスシステム１０では、預かった所有物を撮影する撮影装置１８を備え、預け主に預かり所有物の画像を提供するから、預け主は例えば犬や猫等のペット、子供、あるいはバイオリン等の楽器、骨董品等の高価な物等を置いて安心して旅行等ができる。例えばペットを預かった場合には食べ物を与え、子供を預かった場合には食事等を与え、生命維持のための所定の世話を行うから、預け主は安心して旅行等ができる。また、例えばペットを預かった場合にはトリミング、グルーミング等、子供を預かった場合には勉強を教える等の生命維持以外の所定の世話を行うから、預け主は安心して旅行等ができる。
【産業上の利用可能性】
【００７６】
この預かりサービスシステムは、例えばペット等の所有物を預かる新しいビジネスモデルを可能にする預かりサービスに広く適用できる。
【図面の簡単な説明】
【００７７】
【図１】預かりサービスシステムの概略図である。
【図２】パソコンからの注文プリントを説明する図である。
【図３】預かりサービスシステムの他の実施の形態の概略図である。
【図４】カメラからの注文プリントを説明する図である。
【図５】預かりサービスシステムの他の実施の形態の概略図である。
【図６】図５の実施の形態の預かりサービスシステムのフローである。
【図７】ペット画像合成のフローである。
【図８】カメラの合成画面を示す図である。
【図９】ペット画像合成のフローである。
【図１０】ペット画像合成のフローである。
【図１１】ペット画像合成のフローである。
【図１２】ポストカードを示す図である。
【符号の説明】
【００７８】
１０  預かりサービスシステム
１１  ペット預かり施設用端末
１２  預け主用端末
１３  画像を送受信及び表示可能な装置
１４  預かりサービスサーバ
１５  預かりサービス管理端末
１６  ネットワーク
１７  ペット預かり施設
１８  撮影装置
【図１】
2005095006.tif 000003
【図２】
2005095006.tif 000004
【図３】
2005095006.tif 000005
【図４】
2005095006.tif 000006
【図５】
2005095006.tif 000007
【図６】
2005095006.tif 000008
【図７】
2005095006.tif 000009
【図８】
2005095006.tif 000010
【図９】
2005095006.tif 000011
【図１０】
2005095006.tif 000012
【図１１】
2005095006.tif 000013
【図１２】
2005095006.tif 000014